(57)【要約】【課題】排熱を効率よく行う。【解決手段】顕微鏡本体２１は、サンプルからの観察光を結像する光学系、および、その光学系を介してサンプルを撮像する撮像素子を収納する本体筐体７１と、本体筐体７１の先端側に装着され、対物レンズ４１を収納するレンズ鏡筒７２と、レンズ鏡筒７２との間で内部空間を形成するように本体筐体７１の先端側のレンズ鏡筒７２より外側に装着され、サンプルに照明光を照射するLED４５に電力を供給する光源基板７６を収納する光源筐体７３とを備えて構成される。そして、レンズ鏡筒７２と光源筐体７３との間の内部空間が、光源基板７６に対して先端側および後端側で外部に連結されている。本発明は、例えば、顕微鏡本体をスタンドから分離して使用可能な顕微鏡観察システムに適用できる。【選択図】図３
2011013325.tif 000002
【特許請求の範囲】
【請求項１】
試料からの観察光を結像する光学系、および前記光学系を介して前記試料を撮像する撮像手段を収納し、その先端部分に対物レンズを保持する筐体と、
前記対物レンズを保持する前記筐体の先端部分との間に内部空間を形成するように前記筐体の外周に装着され、前記試料に照明光を照射する光源および前記光源に電力を供給する基板を収納する光源筐体と
を備え、
前記光源筐体の前記対物レンズの保持側である先端側には、前記内部空間への空気の流入を可能とする通気口が設けられ、後端側には、前記内部空間からの空気の流出を可能にする通気口が設けられている
ことを特徴とする顕微鏡。
【請求項２】
前記光源筐体の外側面に、外側に向かって突起した突起部が形成されている
ことを特徴とする請求項１に記載の顕微鏡。
【請求項３】
前記筐体は、前記光学系および前記撮像手段を収納する本体筐体と、前記本体筐体の先端側に装着され、前記対物レンズを収納する鏡筒とを有して構成され、
前記光源筐体は、高熱伝導率の部材で形成されており、
前記鏡筒が装着される装着部と前記光源筐体が装着される装着部との間の前記本体筐体は、前記光源筐体の部材よりも熱伝導率が低い部材で形成されている
ことを特徴とする請求項１または２に記載の顕微鏡。
【請求項４】
前記筐体には、前記筐体の側面から外周方向に突出する把持部が設けられており、
前記光源筐体には、前記光学系の光軸に対して対称となるように、前記把持部側とその反対側とに、前記内部空間と外部とを連結する通気口が形成されている
ことを特徴とする請求項１乃至３のいずれかに記載の顕微鏡。
【発明の詳細な説明】
【技術分野】
【０００１】
本発明は、顕微鏡に関する。
【背景技術】
【０００２】
一般的に、CCD（Charge Coupled Device）などの撮像素子により、サンプルの拡大画像を取得するデジタルマイクロスコープと呼ばれる顕微鏡が知られている。従来、デジタルマイクロスコープは、対物レンズなどの光学系およびCCDなどの撮像素子を有する顕微鏡本体と、顕微鏡本体の動作を制御するコントローラとがケーブルで接続されて構成されている。
【０００３】
例えば、特許文献１に開示されているように、顕微鏡本体とコントローラとを接続するケーブルは、画像信号を伝送する画像ラインと照明光を伝送する照明光ラインとが包囲されている。
【０００４】
そして、光源からの照明光は、ケーブルの照明光ラインを介して顕微鏡本体に伝送されて、顕微鏡本体の先端からサンプルに照射される。また、顕微鏡本体により撮像された画像は、ケーブルの画像ラインを介して、コントローラに接続されているモニタに表示される。
【先行技術文献】
【特許文献】
【０００５】
【特許文献１】特開２００８−１７５８９３号公報
【発明の概要】
【発明が解決しようとする課題】
【０００６】
ところで、従来のデジタルマイクロスコープでは、顕微鏡本体とコントローラとがケーブルで接続されているため、ケーブルの長さの範囲内でしか観察が行えなかったり、ケーブルの引き回しが煩雑になってしまったりするなどの制約があり、使い勝手が悪かった。これに対し、例えば、顕微鏡本体とコントローラとをケーブルで接続させずにデジタルマイクロスコープを構成することが考えられるが、この場合、照明光ラインにより照明光を伝送することができなくなるため、顕微鏡本体が光源を収納する必要がある。
【０００７】
しかしながら、顕微鏡本体に光源を収納した場合には、光源からの発熱により顕微鏡本体の温度が上昇するため、排熱を効率よく行わなければならないという問題があった。
【０００８】
本発明は、このような状況に鑑みてなされたものであり、排熱を効率よく行うことができるようにするものである。
【課題を解決するための手段】
【０００９】
本発明の顕微鏡は、試料からの観察光を結像する光学系、および前記光学系を介して前記試料を撮像する撮像手段を収納し、その先端部分に対物レンズを保持する筐体と、前記対物レンズを保持する前記筐体の先端部分との間に内部空間を形成するように前記筐体の外周に装着され、前記試料に照明光を照射する光源および前記光源に電力を供給する基板を収納する光源筐体とを備え、前記光源筐体の前記対物レンズの保持側である先端側には、前記内部空間への空気の流入を可能とする通気口が設けられ、後端側には、前記内部空間からの空気の流出を可能にする通気口が設けられていることを特徴とする。
【００１０】
本発明の顕微鏡においては、光源筐体の対物レンズの保持側である先端側に、内部空間への空気の流入を可能とする通気口が設けられ、後端側に、内部空間からの空気の流出を可能にする通気口が設けられている。これにより、光源筐体内で発生した熱を外部に効率よく排出することができる。
【発明の効果】
【００１１】
本発明の顕微鏡によれば、光源を有する顕微鏡の排熱を効率よく行うことができる。
【図面の簡単な説明】
【００１２】
【図１】本発明を適用した顕微鏡観察システムの一実施の形態の構成例を示す構成図である。
【図２】顕微鏡本体の斜視図である。
【図３】顕微鏡本体の先端部分を拡大した図である。
【発明を実施するための形態】
【００１３】
以下、本発明を適用した具体的な実施の形態について、図面を参照しながら詳細に説明する。
【００１４】
図１は、本発明を適用した顕微鏡観察システムの一実施の形態の構成例を示す構成図である。なお、本明細書において、システムとは、複数の装置により構成される装置全体を表すものである。
【００１５】
図１の顕微鏡観察システムは、観察対象となるサンプルを拡大した画像（観察像）を取得する顕微鏡１１と、顕微鏡１１が取得したサンプルの画像を表示するモニタ１２とが接続されて構成されており、例えば、顕微鏡１１のステージ上に載置可能な寸法に加工されたサンプルである試料１３の観察に使用される。また、顕微鏡観察システムは、例えば、顕微鏡１１のステージに載置することができないような大きなサンプル（図示せず）の観察に使用することができる。
【００１６】
即ち、顕微鏡１１は、サンプルの拡大像を取得するための光学系や、撮像素子、各部を制御する電気系などが設けられた顕微鏡本体２１と、モニタ１２に接続されているスタンド２２とから構成されており、顕微鏡本体２１がスタンド２２に対して着脱可能で、特許文献１で開示されているような顕微鏡本体とスタンドとを接続するケーブルは無く、顕微鏡本体２１単独でサンプルの画像を取得することができるように構成されている。例えば、検鏡者は、顕微鏡本体２１がスタンド２２に装着された状態で試料１３の観察を行い、顕微鏡本体２１がスタンド２２から取り外された状態で、図示しない大きなサンプルの観察を行う。この場合、上記のように顕微鏡本体２１はケーブルを有さないので、使い勝手が良いものである。なお、図１では、顕微鏡本体２１がスタンド２２から取り外された状態が示されており、顕微鏡本体２１の一部が断面で示されている。
【００１７】
モニタ１２は、顕微鏡本体２１が取得したサンプルの画像や、顕微鏡本体２１のズーム倍率や照明光の光量などの観察条件に関する各種の情報などを表示する。また、モニタ１２には、タッチパネルが重畳されて設けられており、検鏡者が、モニタ１２に表示されるボタンなどをタッチすることにより、顕微鏡１１に対する各種の操作を行うことができる。
【００１８】
顕微鏡本体２１は、対物レンズ４１の光軸Ｌ１を中心とした円筒形状の本体部３１、表示部や操作部など（後述する図２参照）を有する表示操作部３２、および、スタンド２２から取り外されたときに検鏡者が顕微鏡本体２１を把持するのに利用するグリップ３３を備えて構成される。
【００１９】
本体部３１の内部には、先端側から後端側に向かって、対物レンズ４１、ズームレンズ４２ａ乃至４２ｄ、結像レンズ４３、および、CCDなどの撮像素子４４が、光軸Ｌ１に沿って配置されている。
【００２０】
サンプルの観察時には、本体部３１の対物レンズ４１を備える先端側がサンプルに向けられて観察が行われる。例えば、図１のようにステージ５１上に載置された試料１３の観察時には、本体部３１の先端側が略鉛直方向の下方（試料１３に対向する位置）を向くように、顕微鏡本体２１がスタンド２２に接続されて観察が行われる。
【００２１】
そして、サンプルからの観察光は、対物レンズ４１を介して本体部３１の内部に導入され、ズームレンズ４２ａ乃至４２ｄにより所定の倍率に拡大された後、結像レンズ４３により撮像素子４４の受光面にサンプルの像が結像される。ここで、ズームレンズ４２ｂおよび４２ｃは、例えば、直動ガイド、送りネジ、および、送りネジを駆動するモータ（いずれも図示せず）によって、光軸Ｌ１に沿って移動可能に構成されており、ズームレンズ４２ｂおよび４２ｃの位置を調整することにより、サンプルを撮像するズーム倍率が調整される。
【００２２】
また、本体部３１の先端部分には、サンプルに照明光を照射するLED４５が実装されており、顕微鏡本体２１では、例えば、対物レンズ４１の円周外側に沿うように、複数のLED４５が輪帯状に並んで配置されている。なお、LED４５など、本体部３１の先端部分の構成については、図３を参照して後述する。
【００２３】
グリップ３３は、例えば、リチウムイオン２次電池などのバッテリ４６を収納可能に構成されており、バッテリ４６は、顕微鏡本体２１がスタンド２２から取り外されたときに、顕微鏡本体２１内の各部への電力の供給を行う。また、バッテリ４６の充電は、顕微鏡本体２１がスタンド２２に接続されているときに、スタンド２２に内蔵されている充電装置（図示せず）から供給される電力により行うことや、グリップ３３からバッテリ４６を抜き出して専用の充電装置に装着して行うことなどができる。
【００２４】
また、グリップ３３と本体部３１との接続部分の近傍の、グリップ３３の先端側の側面には、撮像ボタン４７が配設されている。例えば、検鏡者が撮像ボタン４７を操作すると、撮像素子４４により撮像されたサンプルの画像データが記録部（例えば、後述する図２の記録媒体６４）に記録される。また、顕微鏡本体２１がスタンド２２に接続されているときには、撮像素子４４により撮像されたサンプルの画像データが、スタンド２２に内蔵されている大容量のハードディスクドライブなどの記録部（図示せず）に記録されるようにすることができる。
【００２５】
撮像ボタン４７は、顕微鏡本体２１をスタンド２２から取り外して使用する場合に操作するものである。通常、顕微鏡本体２１をスタンド２２に取り付けた状態で、撮像ボタン４７を操作すると、振動により、顕微鏡本体２１が振動することがあるため、顕微鏡本体２１をスタンド２２に取り付けた際は、撮像ボタン４７の機能はＯＦＦされていることが好ましい。そして、この場合の撮像は、モニタ１２上に表示されているＧＵＩで操作することが好ましい。
【００２６】
スタンド２２は、水平方向に広がる基部２２ａと、鉛直方向に延びる支柱部２２ｂとにより略Ｌ字状に形成されており、基部２２ａの上面に、試料１３が載置されるステージ５１が配設され、支柱部２２ｂのステージ５１側の側面にアーム部５２が配設されて構成されている。
【００２７】
アーム部５２は、支柱部２２ｂから延びる先端側に、顕微鏡本体２１と機構的に接続される嵌合部５３と、顕微鏡本体２１と電気的に接続されるコネクタ部５４とが設けられている。
【００２８】
嵌合部５３は、例えば、支柱部２２ｂの長手方向に延びるように形成されたオスアリであり、このオスアリと、顕微鏡本体２１に形成されているメスアリ（図示せず）とが嵌合することにより、顕微鏡本体２１とスタンド２２とが機構的に接続される。そして、顕微鏡本体２１とスタンド２２とが機構的に接続される際に、コネクタ部５４に対応する位置に配置されている顕微鏡本体２１のコネクタ部（図示せず）と、コネクタ部５４とが電気的に接続される。即ち、顕微鏡本体２１とスタンド２２とは機構的に接続されるのと同時に、電気的に接続されるように構成されている。
【００２９】
このように、顕微鏡本体２１とスタンド２２とが電気的に接続されることで、コネクタ部５４を介して、スタンド２２から顕微鏡本体２１に電力および制御信号が供給され、顕微鏡本体２１からスタンド２２に画像データが供給される。なお、顕微鏡本体２１とスタンド２２とは、嵌合部５３による嵌合力により固定する他、必要に応じて固定冶具（クランプやセットビスなど）を利用して固定してもよい。
【００３０】
また、アーム部５２は、支柱部２２ｂの長手方向に沿って移動可能に構成されている。支柱部２２ｂの手前側の側面には上下動ハンドル５５が設けられており、検鏡者による上下動ハンドル５５の操作に応じてアーム部５２が上下動し、その上下動に伴って、アーム部５２に接続されている顕微鏡本体２１が移動する。
【００３１】
一方、基部２２ａの手前側の側面には上下動ハンドル５６が設けられており、検鏡者による上下動ハンドル５６の操作に応じてステージ５１が鉛直方向に上下動し、その移動に伴って、ステージ５１に載置されている試料１３が移動する。即ち、上下動ハンドル５５または５６の操作に応じて、顕微鏡本体２１と試料１３との距離が調整され、これにより試料１３を撮像する際のピント調整が行われる。
【００３２】
また、基部２２ａの手前側の側面には、顕微鏡本体２１をスタンド２２に取り付けた状態で使用する際、顕微鏡本体２１のズーム倍率を変化させるときに操作されるズームスイッチ５７と、LED４５による照明光の光量を調整させるときに操作される調光スイッチ５８とが設けられている。ズームスイッチ５７および調光スイッチ５８は、顕微鏡本体２１がスタンド２２に接続されている場合に操作可能となる。即ち、顕微鏡本体２１がスタンド２２に装着されているとき、ズームスイッチ５７および調光スイッチ５８に対する検鏡者の操作に応じた制御信号が、コネクタ部５４を介して顕微鏡本体２１に供給され、ズーム倍率および照明光の光量が調整される。
【００３３】
このように、顕微鏡１１は、顕微鏡本体２１とスタンド２２とがケーブルで接続されない構成となっており、顕微鏡本体２１は、スタンド２２から取り外された状態でサンプルの観察に必要なブロックを全て備え、顕微鏡本体２１単独で使用することができる。
【００３４】
また、検鏡者は、顕微鏡本体２１とスタンド２２との機械的な接続と電気的な接続とを１つの動作で行うことができ、顕微鏡本体２１がスタンド２２に接続された状態になると、顕微鏡本体２１内の各部がスタンド２２から供給される電力により駆動するように電源が切り替えられ、撮像素子４４により撮像中の画像がモニタ１２に表示され、撮像素子４４により撮像された画像データの保存先が自動的にスタンド２２内の記録部（図示せず）に切り替えられるようにすることができる。
【００３５】
次に、図２は、顕微鏡本体２１の斜視図である。
【００３６】
図２に示すように、顕微鏡本体２１には、本体部３１の側面から外周方向に突出するグリップ３３が形成されており、グリップ３３に対して、本体部３１の中心軸を中心として略９０度の方向に表示操作部３２が設けられている。
【００３７】
表示操作部３２は、複数の操作ボタンを備えた操作部６１が本体部３１の側面に固定されており、撮像した試料１３の画像を表示する液晶モニタを備えた表示部６２が、ヒンジ部６３を介して、操作部６１に対して開閉可能かつ回転可能に取り付けられている。
【００３８】
操作部６１には、検鏡者が顕微鏡本体２１に対する各種の操作を行うための操作ボタンと、顕微鏡本体２１において撮像されたサンプルの画像データを記録する記録媒体６４（例えば、カード型のフラッシュメモリ）が抜き差し可能なスロットとが設けられている。
【００３９】
表示部６２は、顕微鏡本体２１によって撮影中の画像であるライブ画像や、記録媒体６４に記録済みの画像データを再生した画像である再生画像を表示する。また、表示部６２には、顕微鏡本体２１のズーム倍率や照明光の光量などの観察条件に関する各種の情報が表示される。
【００４０】
ヒンジ部６３は、表示部６２が操作部６１に対して開閉するための１８０度回転可能な第１の回転軸と、第１の回転軸および本体部３１の中心軸に対して直交する軸を中心に１８０度回転可能な第２の回転軸とにより、表示部６２を操作部６１に対して開閉可能かつ回転可能に支持する機構（いわゆる回転２軸機構）を備えて構成される。また、ヒンジ部６３は適度な保持力を有しており、操作部６１に対して任意の角度で表示部６２を保持することができる。
【００４１】
次に、図３は、顕微鏡本体２１の先端部分を拡大した図である。図３Ａには、顕微鏡本体２１の先端部分の光軸Ｌ１に沿った断面図が示されており、図３Ｂには、顕微鏡本体２１の先端部分を先端側から見た図が示されている。
【００４２】
図３Ａに示すように、顕微鏡本体２１の対物レンズ４１側の先端部分の筒状の本体筐体７１の先端側にレンズ鏡筒７２および光源筐体７３が装着され、光源筐体７３の先端側に、ディフューザ７４を支持する支持部７５が装着されている。
【００４３】
本体筐体７１には、ズームレンズ４２ｂよりも撮像素子４４（図１）側の光学系が収納されており、対物レンズ４１およびズームレンズ４２ａを収納するレンズ鏡筒７２が、本体筐体７１の先端に装着されることにより、本体筐体７１の先端側の開口部が閉鎖されることになり、レンズ鏡筒７２は、本体筐体７１を密封する密封手段も兼ねている。また、レンズ鏡筒７２と光源筐体７３とは互いに非接触となり、レンズ鏡筒７２より外側に光源筐体７３が配置されるように、本体筐体７１の先端側にそれぞれ装着されている。また、本実施形態では、本体筐体７１とレンズ鏡筒７２とは別部材であるが、本体筐体７１内の先端に対物レンズ４１とズームレンズ４２ａを保持する保持部を設けてもよい。
【００４４】
光源筐体７３の内側には、複数のLED４５が実装された環状の光源基板７６が装着されている。例えば、図３Ｂに示すように、顕微鏡本体２１では、８個のLED４５ａ乃至４５ｈが対物レンズ４１の円周外側に沿うように配置されており、LED４５ａ乃至４５ｈが環状の光源基板７６に等間隔に実装されている。なお、LED４５ａ乃至４５ｈをそれぞれ区別する必要がない場合、以下、適宜、LED４５と称する。
【００４５】
また、光源基板７６は、例えば、高熱伝導接着剤などにより接着されて、または、ネジなどにより締結されて、その背面（LED４５が実装されている面の反対側の面）が光源筐体７３に密接するように、光源筐体７３に装着される。
【００４６】
LED４５の先端側には、LED４５から発せられる照明光を集光させてサンプルに照射させる照明レンズ７７が設けられている。
【００４７】
ディフューザ７４は、照明レンズ７７の先端側に配置された環状の拡散板であり、LED４５から発せられる照明光を拡散して均質な明るさに調整する。また、ディフューザ７４は、その環状の外周部が支持部７５により支持され、その環状のディフューザ７４の内側面は、レンズ鏡筒７２と非接触となるように構成されている。即ち、ディフューザ７４の内側面と、レンズ鏡筒７２の外周面との間に隙間が設けられている。
【００４８】
また、図３Ａに示すように、顕微鏡本体２１の先端部分では、レンズ鏡筒７２と光源筐体７３との間に内部空間が設けられており、この内部空間は、ディフューザ７４の内側面とレンズ鏡筒７２の外周面との間の隙間により、顕微鏡本体２１の先端面で外部環境と連結されている。
【００４９】
また、光源筐体７３の後端（本体筐体７１側）付近の周方向には、顕微鏡本体２１の先端部分の内部空間と外部環境とを連結する複数の通気口７８が形成されている。通気口７８は、例えば、光軸Ｌ１に対して軸対称となるように形成されており、図３Ａの例では、光軸Ｌ１の左側（例えば、図１のグリップ３３側）に２つの通気口７８ａおよび７８ｂが形成され、光軸Ｌ１の右側（例えば、図１のグリップ３３の反対側）に２つの通気口７８ｃおよび７８ｄが形成されている。
【００５０】
このように、光源筐体７３の後端付近に複数の通気口７８が形成され、光源筐体７３の先端側で、レンズ鏡筒７２とディフューザ７４との間に隙間が設けられていることにより、顕微鏡本体２１の先端部分の内部空間において空気が自由に流れ、光源基板７６の周囲を通過するような流路が形成される。
【００５１】
例えば、顕微鏡本体２１により高倍率の観察を行うときに、LED４５による照明光の光量を増加させると、LED４５の電力消費が増大するのに伴って光源基板７６の発熱量が増加する。このとき、光源基板７６に対して先端側に隙間が設けられているとともに、光源基板７６に対して後端側に通気口７８が形成されていることにより、顕微鏡本体２１の先端部分の内部空間に空気の流れが発生し、この空気の流れに伴って光源基板７６で発生した熱が外部に排出される。
【００５２】
特に、顕微鏡本体２１をスタンド２２に取り付けて観察を行う場合、顕微鏡本体２１は、同じ姿勢を長時間維持することになり、光源基板７６での発熱によって、光源基板７６の周囲の空気が上昇するので、光源筐体７３の後端付近に形成されている通気口７８から空気が流出するとともに、レンズ鏡筒７２とディフューザ７４との間の隙間から外部の空気が流入するような熱対流が発生する。この熱対流により、光源基板７６において発生した熱を効率よく外部に排出することができる。したがって、レンズ鏡筒７２とディフューザ７４との間の隙間が下部となり、通気口７８が上部に位置される配置となることが重要な構成である。
【００５３】
また、通気口７８を光軸Ｌ１に対して軸対称となるように、具体的には、グリップ３３側に通気口７８ａおよび７８ｂを形成し、その反対側に通気口７８ｃおよび７８ｄを形成することで、顕微鏡本体２１をスタンド２２から取り外し、顕微鏡本体２１を水平方向に向けて観察を行うときに、光源基板７６において発生した熱を効率よく外部に排出することができる。
【００５４】
即ち、このように通気口７８が形成された顕微鏡本体２１では、例えば、検鏡者がグリップ３３を把持して垂直な面を観察するとき、つまり、光軸Ｌ１を水平方向に向けてグリップ３３を略縦方向に向けた状態で観察を行うとき、顕微鏡本体２１の先端部分の内部空間で暖められた空気は、グリップ３３の反対側に形成されている通気口７８ｃおよび７８ｄから流出するとともに、グリップ３３側に形成された通気口７８ａおよび７８ｂから外部の空気が流入するような熱対流が発生する。この熱対流により、光源基板７６において発生した熱を効率よく外部に排出することができる。
【００５５】
このように、顕微鏡本体２１をスタンド２２に取り付けた状態で使用するときや、顕微鏡本体２１をスタンド２２から取り外し顕微鏡本体２１を鉛直方向に向けたときにも、また、顕微鏡本体２１を水平方向に向けたときにも、光源基板７６で発生した熱が効率よく排出され、どのような方向に顕微鏡本体２１を向けて観察を行っても、光源基板７６で発生した熱を効率よく排出することができる。
【００５６】
また、光源筐体７３の外周面には、外側に向かって突起し、周方向に一周するように、ひだ状の複数のフィン７９が形成されている。図３Ａの例では、５列のフィン７９ａ乃至７９ｅが形成されており、これらのフィン７９ａ乃至７９ｅにより、光源筐体７３の外周側面の表面積、即ち、外部の雰囲気に露出した表面の面積が増加し、光源基板７６から光源筐体７３に伝導された熱を効率よく外部に排出することができる。
【００５７】
特に、例えば、光源筐体７３および光源基板７６を、熱伝導率の高いアルミニウム（熱伝導率：236W/(m・k)）により形成することにより、光源筐体７３のフィン７９ａ乃至７９ｅからの放熱効率を向上させることができる。
【００５８】
一方、例えば、光源筐体７３およびレンズ鏡筒７２が装着される本体筐体７１は、アルミニウムよりも熱伝導率が低いポリカーボネイト（熱伝導率：0.19W/(m・k)）により形成されている。このように、本体筐体７１の部材を光源筐体７３よりも熱伝導率が低い部材とすることにより、具体的には、本体筐体７１にレンズ鏡筒７２が接続される接続部７１ａと、本体筐体７１に光源筐体７３が接続される接続部７１ｂとの間となる本体筐体７１の部材を、光源筐体７３よりも熱伝導率が低い部材とすることにより、光源基板７６において発生して光源筐体７３に伝導した熱が、レンズ鏡筒７２に伝導することが抑制される。
【００５９】
以上のように、顕微鏡本体２１の先端部分において、レンズ鏡筒７２と光源筐体７３との間の内部空間に空気の流れが発生しやすい構成にするとともに、光源筐体７３にフィン７９ａ乃至７９ｅを形成して放熱効率を向上させたので、光源基板７６で発生した熱を外部に効率よく排出することができる。これにより、顕微鏡本体２１の先端部分の温度が上昇することを抑制することができ、例えば、検鏡者が顕微鏡本体２１の先端部分に接触したときに熱く感じるほどの温度上昇が回避される。これにより、顕微鏡本体２１の使い勝手を良くすることができる。
【００６０】
さらに、顕微鏡本体２１の先端部分の温度上昇を抑制するとともに、本体筐体７１の先端部分を熱伝導率が低い部材にすることで、光源基板７６において発生した熱がレンズ鏡筒７２に伝導することを抑制することができる。
【００６１】
これにより、顕微鏡本体２１の性能の低下が回避される。即ち、従来のデジタルマイクロスコープでは、コントローラに接続されるケーブルの照明光ライン（光ファイバ）を介して照明光が伝送されるため、顕微鏡本体の温度が上昇することはなかったが、顕微鏡本体とコントローラとをケーブルで接続しない構成にした場合には、顕微鏡本体に光源を設ける必要があり、顕微鏡本体の温度上昇により発生する問題を考慮する必要がある。つまり、顕微鏡本体２１では、レンズ鏡筒７２の近傍に光源基板７６が配置されるため、光源基板７６において発生した熱がレンズ鏡筒７２に伝導し、レンズ鏡筒７２が熱膨張するような場合には、その熱膨張によって対物レンズ４１とズームレンズ４２ａとの距離が変化し、例えば、ズーム倍率やフォーカスなどの精度が低下することが考えられる。
【００６２】
これに対し、顕微鏡本体２１では、上述したように、光源基板７６で発生した熱がレンズ鏡筒７２に伝導することが抑制されるので、レンズ鏡筒７２の熱膨張が抑制される。従って、ズーム倍率の精度が低下することを回避することができ、顕微鏡本体２１の性能の低下を回避することができる。
【００６３】
また、ズームレンズ４２ａ乃至４２ｄによるズーム倍率を高く設定してサンプルを高倍率で観察する場合には、照明光の光量を高くする必要があり、光源基板７６での発熱量が増加するが、顕微鏡本体２１では、上述したように温度上昇を抑制することができるので、例えば、排熱用のファンなどを設ける必要がなく、顕微鏡本体２１の携帯性を向上させることができる。
【００６４】
即ち、例えば、顕微鏡本体に排熱用のファンを設ける必要がある場合には、そのファンを駆動するための電力が必要になるため、高容量のバッテリ４６が必要になり、その結果、顕微鏡本体２１が大型化するとともに重量が増加することがある。これに対し、顕微鏡本体２１では、排熱用のファンを設ける必要がなく、容量を抑えたバッテリ４６を採用することができるので、顕微鏡本体２１の小型化および軽量化を図ることができ、顕微鏡本体２１の携帯性が向上する。
【００６５】
なお、光源筐体７３および光源基板７６は、熱伝導率が230W/(m・k)以上である部材で構成されていればよく、アルミニウムの他、例えば、アルミニウム合金や、銅、銅合金などの部材を使用することができる。また、光源筐体７３とレンズ鏡筒７２との間の本体筐体７１は、ポリカーボネイトの他、熱伝導率が１W/(m・k)以下の部材を使用することができる。これにより、光源基板７６により発生して光源筐体７３に伝導した熱が、本体筐体７１を介してレンズ鏡筒７２に伝導されることを抑制することができる。
【００６６】
なお、本体筐体７１の全体を熱伝導率が低い部材で構成する他、例えば、本体筐体７１の先端部分、即ち、本体筐体７１にレンズ鏡筒７２が接続される接続部７１ａと、本体筐体７１に光源筐体７３が接続される接続部７１ｂとの間となる部分を熱伝導率が低い部材で構成してもよい。
【００６７】
また、顕微鏡１１では、顕微鏡本体２１とスタンド２２とがケーブルで接続されない構成となっているので、観察を行う範囲がケーブルの長さなどで制約されることがなく、観察時にケーブルの引き回しを考慮する必要がないので、従来のデジタルマイクロスコープよりも使い勝手を向上させることができる。
【００６８】
なお、本実施の形態では、レンズ鏡筒７２と光源筐体７３との間の内部空間は、１つの円筒状の空間となっているが、例えば、LED４５ａ乃至４５ｈのそれぞれが独立した空間に収納され、それぞれの空間の先端側および後端側が外部に連結されるように構成してもよい。
【００６９】
なお、本発明の実施の形態は、上述した実施の形態に限定されるものではなく、本発明の要旨を逸脱しない範囲において種々の変更が可能である。
【符号の説明】
【００７０】
１１  顕微鏡，  １２  モニタ，  １３  試料，  ２１  顕微鏡本体，  ２２  スタンド，  ３１  本体部，  ３２  表示操作部，  ３３  グリップ，  ４１  対物レンズ，  ４２ａ乃至４２ｄ  ズームレンズ，  ４３  結像レンズ，  ４４  撮像素子，  ４５，４５ａ乃至４５ｈ  LED，  ４６  バッテリ，  ４７  撮像ボタン，  ５１  ステージ，  ５２  アーム部，  ５３  嵌合部，  ５４  コネクタ部，  ５５および５６  上下動ハンドル，  ５７  ズームスイッチ，  ５８  調光スイッチ，  ６１  操作部，  ６２  表示部，  ６３  ヒンジ部，  ６４  記録媒体，  ７１  本体筐体，  ７２  レンズ鏡筒，  ７３  光源筐体，  ７４  ディフューザ，  ７５  支持部，  ７６  光源基板，  ７７  照明レンズ，  ７８ａ乃至７８ｄ  通気口，  ７９ａ乃至７９ｅ  フィン
【図１】
2011013325.tif 000003
【図２】
2011013325.tif 000004
【図３】
2011013325.tif 000005